(57)【要約】【課題】雨水貯蔵システムを提供する。【解決手段】鋼骨建築物の傾斜した屋根の下縁に樋を取付けて雨水を集め、雨水管路２より雨水貯蔵タンク３に集める。雨水貯蔵タンク内には、バイパス管６が設けられていて、水位がその高さを越えると既設の配水管７により排出される。雨水貯蔵タンク上面には方形蓋１１が設けられて面一とされ、作業台として使用できる。また、雨水貯蔵タンク内に既設の配水管に接続する出水管の水抜き栓１３に接続されたチェーン１２が設けられて、タンク内の清掃などの際の水抜きを行うことができる。集水された雨水は、農業用水、消防用、トイレット用などに使用することができる。【選択図】図４
0003104067.tif 000002
【実用新案登録請求の範囲】
【請求項１】
樋、雨水管路、ステンレス製雨水収集パイプ、雨水貯蔵タンク、ステンレス製方形蓋、排水口、ステンレス製バイパス管、既設排水管、ステンレス製角管、蛇口吐水口、排水管、溝、ステンレス製チェーン、水抜栓、により構成されてなる雨水貯蔵システムであって、
樋は、雨水を集めるべく鋼骨建築物の傾斜屋根の下縁に取付られて、雨水を雨水管路を経てステンレス製雨水収集パイプを介して左側又は右側から室内または室外に設置した雨水貯蔵タンクに導くよう配置され、
前記雨水貯蔵タンクの内部には排水口及びステンレス製バイパス管を配置して、雨水貯蔵タンク内部の水位が前記バイパス管より高くなる時、余った雨水が自動的に前記バイパス管を介して排水口と連通する既設排水管に流れるように構成し、
前記雨水貯蔵タンクの内部に補強用ステンレス製角管を設置し、
蛇口吐水口は、直接花への潅水や洗濯などの利用、または直接蛇口を開けて小物の洗濯にも利用できるように、出水管と連通させて前記雨水貯蔵タンクの外側に設けてなり、
ステンレス製方形蓋は、開蓋時直出水を汲み出すことができるよう、かつその平面をキッチン流し台などの作業台として使用可能であるように、その周辺裾部がタンク開口側辺の凹溝と合致するように形成されてなり、
ステンレス製チェーンが、タンク内の清掃などの際の水抜きのため、タンク本体内部のステンレス製バイパス管の左側に設けたステンレス製水抜栓と連結されて設けられてなること、
を特徴とする雨水貯蔵システム。
【考案の詳細な説明】
【技術分野】
【０００１】
本考案は、雨水貯蔵システムに関し、特に鋼骨建築物の傾斜屋根の下縁に樋を取り付けて雨水を集め、雨水管路を利用して、集めた雨水をステンレス製雨水収集パイプを介して左側か右側から室内または室外に設置した雨水貯蔵タンクに溜め、前記雨水貯蔵タンクの上に方形蓋が設けられていて、閉蓋時は作業台に利用できると共に、開蓋して水を直接汲み出すにも便利である。前記雨水貯蔵タンクの内部に排水口及びステンレス製バイパス管装置を有していて、雨水貯蔵タンク内部の水位がこのバイパス管より高くなる時、余った雨水は自動的にこのバイパス管を経由して排水口と連通する既設排水管に流れる。前記雨水貯蔵システムに溜めた水は農業灌漑、消防及びトイレットの便器洗浄用水に利用できる。室内に設置しても、室外に設置しても、いずれも作業台として利用できる。
【背景技術】
【０００２】
現在、簡易タイプの水貯蔵施設は大抵水桶型構造のものが多く、一般的には、屋上などに雨水を溜める設備として設置されているが、設計は複雑でその大半はその構造上直出水を汲み出せず不便であるうえ、用途が限られている。
【特許文献１】特開２００４−６０３１８号公報
【特許文献２】特開２００４−３３０７号公報
【考案の開示】
【考案が解決しようとする課題】
【０００３】
水の節約という要望に応え、普通の水収集システムに統合でき、簡単、経済的で、作業台機能を兼ねる雨水貯蔵システムを設計することは、早急に解決を要する課題である。
【課題を解決するための手段】
【０００４】
上述した問題点に対し、本考案者は心をこめて検討、研究して考え出したこの革新的な雨水貯蔵システムは、鋼骨の建築物の傾斜屋根の下縁に樋を取付けて雨水を集め、雨水管路を利用して、集めた雨水をステンレス製雨水収集パイプを介し左側または右側から室内または室外に設置した雨水貯蔵タンクに溜める。前記雨水貯蔵タンクの上に方形蓋が設けられ、閉蓋時作業台に使え、開蓋時直出水を汲みだしの際に便利である。前記雨水貯蔵タンクの内部に排水口及びステンレス製バイパス管装置を有する。雨水貯蔵タンク内部の水位がこのバイパス管より高くなる時、余った雨水は自動的にこのバイパス管を介して排水口と連通する既設排水管に流れる。この他、長い間にわたって使った雨水貯蔵タンクを掃除する時、ステンレス製チェーンと連結するステンレス製水抜栓を軽く引くと、タンク内の雨水が排水口と連通する既設排水管に流れるので、掃除しやすい。前記雨水貯蔵システムは農業灌漑、消防及びトイレットの便器の洗浄用水に利用できる。室内に設置しても、室外に設置しても、いずれも作業台に使え、普通の水桶型構造水貯蔵システムの設計が複雑で、水の直接利用及び清掃が難しく、操作が不便、用途が単一などの欠点を解決できる。
【０００５】
本考案に関する雨水貯蔵システムは、樋、雨水管路、ステンレス製雨水収集パイプ、雨水貯蔵タンク、ステンレス製方形蓋、排水口、ステンレス製バイパス管、既設排水管、ステンレス製角管、蛇口吐水口、排水管、溝、ステンレス製チェーン、水抜栓、ステンレス製方形蓋の裾部、雨水貯蔵タンク開口側辺の凹溝により構成されている。鋼骨建築物の傾斜屋根の下縁に樋を取付けて雨水を集め、雨水管路を利用して、集めた雨水をステンレス製雨水収集パイプを介し左側か右側から室内または室外に設置した雨水貯蔵タンクに溜める。前記雨水貯蔵タンクの上に方形蓋が設けられ、閉蓋時作業台として使え、開蓋時水を直接汲み出すには便利である。この方形蓋は四つの側辺が内に曲げられたもので、雨水貯蔵タンク開口部に嵌め込み、蓋面が形成される。前記蓋の一つの側面は雨水貯蔵タンク開口部の一つの側面と連結され、ほかの三つの側面が、貯蔵タンクの開口部に嵌めまれた状態で蓋面が作業台に使える。前記貯蔵タンク開口の側辺が、方形蓋面の側辺裾部と嵌め合うように略凹溝状に形成されている。前記雨水貯蔵タンクの内部に排水口及びステンレス製バイパス管装置を備え、雨水貯蔵タンク内部の水位が前記バイパス管より高くなる時、余った雨水は自動的にバイパス管を介し排水口と連通する既設排水管に流れる。
【０００６】
前記雨水貯蔵タンクの内部に、水圧による強度不足との問題点を解決するため、補強用ステンレス製角管を設置した。さらに、タンク内部にステンレス製バイパス管が取付けられている。雨水貯蔵タンク内部の水位がこのバイパス管より高くなる時、余った雨水は自動的にこのバイパス管を介し排水口と連通する既設排水管に流れ、最終的に排出される。雨水貯蔵タンクの外側に蛇口吐水口を設置した。これを直接出水管と連通して花に水をかけるとか、洗浄などに利用でき、または蛇口を開いて小物を直接洗濯する。前記雨水貯蔵タンクの上にステンレス製方形蓋が設けられ、開蓋時直出水の汲み出しができる。前記雨水貯蔵タンク本体の溝の左側にステンレス製チェーンが取り付けられている。このチェーンは雨水貯蔵タンク開口部の凹溝に掛っており、このステンレス製チェーンはタンク内部のステンレス製バイパス管の左側のステンレス製水抜栓と連結される。長期にわたって使われた雨水貯蔵タンクを掃除する時、該ステンレス製チェーンと連結するステンレス製水抜栓を軽く引くと、タンク内の雨水が排水口と連通する既設排水管に流れるから、掃除が簡単にできる。ステンレス製方形蓋は閉蓋状態でタンク本体と密着した時でも、開蓋状態で水を汲みだす時でも、その平面は作業台に使える。それに、普通のキッチンの流し台といっしょに使っても良く、とても軽便で実用的である。
【考案の効果】
【０００７】
以上に述べたように、本考案に関する雨水貯蔵システムは、鋼骨建築物の傾斜屋根の下縁に樋1を取付けて雨水を集めて、雨水管路2を利用して、集めた雨水を雨水貯蔵タンク3の上部の左側または右側のステンレス製雨水収集パイプ4を介し雨水貯蔵タンクに溜める。雨水貯蔵タンク3の台面は作業台に使える。タンクの上に方形蓋10が設置され、直出水を組みだすのが便利である。それに、雨水貯蔵タンク3の内部に排水口及びステンレス製バイパス管装置6が設けられ、雨水貯蔵タンク3内部の水位がこのバイパス管より高くなる時、余った雨水は自動的にこのバイパス管を介し排水口と連通する既設排水管7に流れる。これで、本考案の雨水貯蔵システムが完成され、水を節約できるだけではなく、柔軟に作業台として利用できる。
【０００８】
上述したように、鋼骨建築物の斜め屋根の下縁に樋を取付けて雨水を集め、雨水管路を利用し、集めた雨水をステンレス製雨水収集パイプを介し左側か右側から室内または室外に設置した雨水貯蔵タンクに溜める。雨水貯蔵タンクの台面は作業台に使える。その上に方形蓋が設けられ、直出水を汲み出すことができる。それに、雨水貯蔵タンクの内部に排水口及びステンレス製バイパス管を設置した。雨水貯蔵タンク内部の水位がこのバイパス管より高くなる時、余った雨水は自動的にこのバイパス管を介し排水口と連通する既設排水管に流れる。これで、雨水貯蔵システムが形成された。水を節約できるだけではなく、柔軟に作業台を利用できる。
【考案を実施するための最良の形態】
【０００９】
本考案の技術特徴を明確にするため、以下、参考図面を参照しながらさらに説明する。まず、図面と図における符号を簡単に説明する。
図１は、本考案に係わる雨水貯蔵システムを鋼骨建築物に配置した平面図で、そのうち、符号１は樋、符号2は雨水管路、符号3は雨水貯蔵タンクである；図２は本考案に係わる雨水貯蔵システムにおける雨水貯蔵タンク構造の平面図で、そのうち、符号4はステンレス製雨水収集パイプ、符号5はステンレス製角管、符号6はステンレス製バイパス管である；図３は本考案に係わる雨水貯蔵システムにおける雨水貯蔵タンク構造の側面図で、そのうち、符号7は既設排水管、符号8は蛇口吐水口、符号9は出水管である；図４は本考案に係わる雨水貯蔵システムにおける雨水貯蔵タンクとステンレス製方形蓋と結合した立体図で、そのうち、符号10はステンレス製方形蓋、符号11は溝、符号12はステンレス製チェーン、符号13はステンレス製水抜栓、符号14はステンレス製方形蓋の裾部、符号15は雨水貯蔵タンク開口側辺の凹溝である；図５は本考案に係わる雨水貯蔵システムにおける樋と雨水管路と結合した立体側面図である。
【実施例】
【００１０】
本実施例は、本出願人の実験建築に実施されたものである。樋1、雨水管路2、雨水貯蔵タンク3、ステンレス製雨水収集パイプ4、ステンレス製角管5、ステンレス製バイパス管6、既設排水管7、蛇口吐水口8、出水管9、ステンレス製方形蓋10、溝11、ステンレス製チェーン12、水抜栓13、ステンレス製方形蓋の裾部14、雨水貯蔵タンク開口側辺の凹溝15によって組合せ構成されたものである。鋼骨建築物の斜め屋根の下縁に樋1を取付けて雨水を集め（図５，６参照）、雨水管路2を利用し、集めた雨水をステンレス製雨水収集パイプ4を介し左側か右側から室内または室外に設置した雨水貯蔵タンク3に溜める。前記雨水貯蔵タンクの内部に排水口及びステンレス製バイパス管装置6を有している。雨水貯蔵タンク内部の水位がこのバイパス管より高くなる時、余った雨水は自動的にこのバイパス管を介し排水口と連通する既設排水管7に流れる。雨水貯蔵タンクの内部に強度補強用ステンレス製角管5を設けた。タンク本体内部にステンレス製バイパス管装置6を設けた。雨水貯蔵タンク3内部の水位がこのバイパス管より高くなる時、余った雨水は自動的にこのバイパス管を介し排水口と連通する既設排水管7に流れて排出する。雨水貯蔵タンク3の外側に蛇口吐水口8が設けられ、これを直接出水管と連通して草花への潅水や洗濯などに使える。または直接蛇口を開いて小物の洗濯にも利用できる。雨水貯蔵タンク3の上部にステンレス製方形蓋10が設置され、使用者は蓋を開け直出水を汲みだすことができる。雨水貯蔵タンク3のタンク本体の溝11の左側にステンレス製チェーン12が取付けてある。前記チェーン12はステンレス製バイパス管6左側のステンレス製水抜栓13と連結する。主に、長期にわたって使われた雨水貯蔵タンク3を掃除する時、ステンレス製チェーン12を軽く引くと、チェーンと連結するステンレス製水抜栓13が抜かれて、タンク内の雨水が排水口と連結する既設排水管7に流れるため、掃除が簡単にできる。前記ステンレス製方形蓋10は、閉蓋状態でタンク本体と密着する時でも、開蓋状態で水を汲み出す時でも、その平面は作業台として利用でき、それに、普通のキッチン流し台と合わせて使うことも可能であって、とても軽便で実用的である。
【図面の簡単な説明】
【００１１】
【図１】図１は本考案に係わる雨水貯蔵システムが鋼骨建築物に配置した平面図である。
【図２】図２は本考案に係わる雨水貯蔵システムにおける雨水貯蔵タンク構造の平面図である。
【図３】図３は本考案に係わる雨水貯蔵システムにおける雨水貯蔵タンク構造の側面図である。
【図４】図４は本考案に係わる雨水貯蔵システムにおける雨水貯蔵タンクとステンレス製方形蓋と結合した立体図である。
【図５】図５は本考案に係わる雨水貯蔵システムにおける樋と雨水管路と結合した立体側面図である。
【符号の説明】
【００１２】
1  樋；2  雨水管路；3  雨水貯蔵タンク；4  ステンレス製雨水収集パイプ；5  ステ  ンレス製角管；6  ステンレス製バイパス管；7  既設排水管；8  蛇口吐水口； 9   接水管；10  ステンレス製方形蓋；11  溝；12  ステンレス製チェーン；13.  水抜栓；14  ステンレス製方形蓋の裾部；15  雨水貯蔵タンク開口側辺の凹溝
【図１】
0003104067.tif 000003
【図２】
0003104067.tif 000004
【図３】
0003104067.tif 000005
【図４】
0003104067.tif 000006
【図５】
0003104067.tif 000007
【手続補正書】
【提出日】平成16年4月14日(2004.4.14)
【手続補正１】
【補正対象書類名】実用新案登録請求の範囲
【補正対象項目名】請求項１
【補正方法】変更
【補正の内容】
【請求項１】
樋、雨水管路、ステンレス製雨水収集パイプ、雨水貯蔵タンク、ステンレス製方形蓋、排水口、ステンレス製バイパス管、既設排水管、ステンレス製角管、蛇口吐水口、出水管、雨水貯蔵タンク開口部、ステンレス製チェーン、水抜栓、により構成されてなる雨水貯蔵システムであって、
樋は、雨水を集めるべく鋼骨建築物の傾斜屋根の下縁に取付られて、雨水を雨水管路を経てステンレス製雨水収集パイプを介して左側又は右側から室内または室外に設置した雨水貯蔵タンクに導くよう配置され、
前記雨水貯蔵タンクの内部には排水口及びステンレス製バイパス管を配置して、雨水貯蔵タンク内部の水位が前記バイパス管より高くなる時、余った雨水が自動的に前記バイパス管を介して排水口と連通する既設排水管に流れるように構成し、
前記雨水貯蔵タンクの内部側壁に沿って補強するべく上記ステンレス製角管を設置し、
蛇口吐水口は、直接前記雨水貯蔵タンクに連通して直接蛇口を開けて花への潅水や洗濯などの利用、または小物の洗濯にも利用できるようにするほか、同様にその水を利用できるように、前記雨水貯蔵タンク底部に連通する出水管に連通させて前記雨水貯蔵タンクの外側に設けてなり、
ステンレス製方形蓋は、開蓋時直接水を汲み出すことができるよう、かつその平面をキッチン流し台などの作業台として使用可能であるように、その周辺裾部が上記雨水貯蔵タンク開口側辺の凹溝と合致するように形成されてなり、
ステンレス製チェーンが、タンク内の清掃などの際の水抜きのため、タンク本体内部のステンレス製バイパス管の左側に設けた上記出水管に配置された上記水抜栓と連結されて、出水管を経て該タンク内の水が上記既設排水管に流れるようにされてなること、
を特徴とする雨水貯蔵システム。
【手続補正２】
【補正対象書類名】明細書
【補正対象項目名】０００５
【補正方法】変更
【補正の内容】
【０００５】
本考案に関する雨水貯蔵システムは、樋、雨水管路、ステンレス製雨水収集パイプ、雨水貯蔵タンク、ステンレス製方形蓋、排水口、ステンレス製バイパス管、既設排水管、ステンレス製角管、蛇口吐水口、排水管、雨水貯蔵タンク上面の開口部、ステンレス製チェーン、水抜栓、ステンレス製方形蓋の裾部、雨水貯蔵タンク開口側辺の凹溝により構成されている。鋼骨建築物の傾斜屋根の下縁に樋を取付けて雨水を集め、雨水管路を利用して、集めた雨水をステンレス製雨水収集パイプを介し左側か右側から室内または室外に設置した雨水貯蔵タンクに溜める。前記雨水貯蔵タンクの上に方形蓋が設けられ、閉蓋時作業台として使え、開蓋時水を直接汲み出すには便利である。この方形蓋は四つの側辺が内に曲げられたもので、雨水貯蔵タンク開口部に嵌め込み、蓋面が形成される。前記蓋の一つの側面は雨水貯蔵タンク開口部の一つの側面と連結され、ほかの三つの側面が、貯蔵タンクの開口部に嵌め込まれた状態で蓋面が作業台に使える。前記貯蔵タンク開口の側辺が、方形蓋面の側辺裾部と嵌め合うように略凹溝状に形成されている。前記雨水貯蔵タンクの内部に排水口及びステンレス製バイパス管装置を備え、雨水貯蔵タンク内部の水位が前記バイパス管より高くなる時、余った雨水は自動的にバイパス管を介し排水口と連通する既設排水管に流れる。
【手続補正３】
【補正対象書類名】明細書
【補正対象項目名】０００６
【補正方法】変更
【補正の内容】
【０００６】
前記雨水貯蔵タンクの内部に、水圧による強度不足との問題点を解決するため、補強用ステンレス製角管を設置した。さらに、タンク内部にステンレス製バイパス管が取付けられている。雨水貯蔵タンク内部の水位がこのバイパス管より高くなる時、余った雨水は自動的にこのバイパス管を介し排水口と連通する既設排水管に流れ、最終的に排出される。雨水貯蔵タンクの外側に蛇口吐水口を設置した。これを直接出水管と連通して花に水をかけるとか、洗浄などに利用でき、または蛇口を開いて小物を直接洗濯する。前記雨水貯蔵タンクの上にステンレス製方形蓋が設けられ、開蓋時直出水の汲み出しができる。前記雨水貯蔵タンク本体の開口部の左側にステンレス製チェーンが取り付けられている。このチェーンは雨水貯蔵タンク開口部の凹溝に掛っており、このステンレス製チェーンはタンク内部のステンレス製バイパス管の左側のステンレス製水抜栓と連結される。長期にわたって使われた雨水貯蔵タンクを掃除する時、該ステンレス製チェーンと連結するステンレス製水抜栓を軽く引くと、タンク内の雨水が排水口と連通する既設排水管に流れるから、掃除が簡単にできる。ステンレス製方形蓋は閉蓋状態でタンク本体と密着した時でも、開蓋状態で水を汲みだす時でも、その平面は作業台に使える。それに、普通のキッチンの流し台といっしょに使っても良く、とても軽便で実用的である。
【手続補正４】
【補正対象書類名】明細書
【補正対象項目名】０００９
【補正方法】変更
【補正の内容】
【０００９】
本考案の技術特徴を明確にするため、以下、参考図面を参照しながらさらに説明する。まず、図面と図における符号を簡単に説明する。
図１は、本考案に係わる雨水貯蔵システムを鋼骨建築物に配置した平面図で、そのうち、符号１は樋、符号2は雨水管路、符号3は雨水貯蔵タンクである；図２は本考案に係わる雨水貯蔵システムにおける雨水貯蔵タンク構造の平面図で、そのうち、符号4はステンレス製雨水収集パイプ、符号5はステンレス製角管、符号6はステンレス製バイパス管である；図３は本考案に係わる雨水貯蔵システムにおける雨水貯蔵タンク構造の側面図で、そのうち、符号7は既設排水管、符号8は蛇口吐水口、符号9は出水管である；図４は本考案に係わる雨水貯蔵システムにおける雨水貯蔵タンクとステンレス製方形蓋と結合した立体図で、そのうち、符号10はステンレス製方形蓋、符号11はタンク上面に設けられた開口部、符号12はステンレス製チェーン、符号13はステンレス製水抜栓、符号14はステンレス製方形蓋の裾部、符号15は雨水貯蔵タンク開口側辺の凹溝である；図５は本考案に係わる雨水貯蔵システムにおける樋と雨水管路と結合した立体側面図である。
【手続補正５】
【補正対象書類名】明細書
【補正対象項目名】００１０
【補正方法】変更
【補正の内容】
【００１０】
本実施例は、本出願人の実験建築に実施されたものである。樋1、雨水管路2、雨水貯蔵タンク3、ステンレス製雨水収集パイプ4、ステンレス製角管5、ステンレス製バイパス管6、既設排水管7、蛇口吐水口8、出水管9、ステンレス製方形蓋10、開口部11、ステンレス製チェーン12、水抜栓13、ステンレス製方形蓋の裾部14、雨水貯蔵タンク開口側辺の凹溝15によって組合せ構成されたものである。鋼骨建築物の斜め屋根の下縁に樋1を取付けて雨水を集め（図５，６参照）、雨水管路2を利用し、集めた雨水をステンレス製雨水収集パイプ4を介し左側か右側から室内または室外に設置した雨水貯蔵タンク3に溜める。前記雨水貯蔵タンクの内部に排水口及びステンレス製バイパス管装置6を有している。雨水貯蔵タンク内部の水位がこのバイパス管より高くなる時、余った雨水は自動的にこのバイパス管を介し排水口と連通する既設排水管7に流れる。雨水貯蔵タンクの内部に強度補強用ステンレス製角管5を設けた。タンク本体内部にステンレス製バイパス管装置6を設けた。雨水貯蔵タンク3内部の水位がこのバイパス管より高くなる時、余った雨水は自動的にこのバイパス管を介し排水口と連通する既設排水管7に流れて排出する。雨水貯蔵タンク3の外側に蛇口吐水口8が設けられ、これを直接出水管と連通して草花への潅水や洗濯などに使える。または直接蛇口を開いて小物の洗濯にも利用できる。雨水貯蔵タンク3の上部にステンレス製方形蓋10が設置され、使用者は蓋を開け直出水を汲みだすことができる。雨水貯蔵タンク3のタンク本体の溝11の左側にステンレス製チェーン12が取付けてある。前記チェーン12はステンレス製バイパス管6左側のステンレス製水抜栓13と連結する。主に、長期にわたって使われた雨水貯蔵タンク3を掃除する時、ステンレス製チェーン12を軽く引くと、チェーンと連結するステンレス製水抜栓13が抜かれて、タンク内の雨水が排水口と連結する既設排水管7に流れるため、掃除が簡単にできる。前記ステンレス製方形蓋10は、閉蓋状態でタンク本体と密着する時でも、開蓋状態で水を汲み出す時でも、その平面は作業台として利用でき、それに、普通のキッチン流し台と合わせて使うことも可能であって、とても軽便で実用的である。
【手続補正６】
【補正対象書類名】明細書
【補正対象項目名】００１２
【補正方法】変更
【補正の内容】
【００１２】
1  樋；2  雨水管路；3  雨水貯蔵タンク；4  ステンレス製雨水収集パイプ；5  ステ                ンレス製角管；6  ステンレス製バイパス管；7  既設排水管；8  蛇口吐水口； 9   出水管；10  ステンレス製方形蓋；11  開口部；12  ステンレス製チェーン；13.  水抜栓；14  ステンレス製方形蓋の裾部；15  雨水貯蔵タンク開口側辺の凹溝